(57)【要約】【課題】集塵装置の取っ手を把持して掃除機本体を持ち上げようとした場合でも集塵装置を係止するクランプが集塵装置から容易に外れることのない電気掃除機を提供することを課題とする。【解決手段】掃除機本体１は、集塵装置８が着脱自在に装着される装着部４を有すると共に、集塵装置８を装着部４に係脱自在に係合するクランプ１９を有し、クランプ１９は、枢支軸２０を上下方向に移動可能に枢支すると共に、枢支軸２０が上方に移動した状態でクランプ１９の回動を阻止する突出部２５を設ける。【選択図】      図１
2004261334.tif 000002
【特許請求の範囲】
【請求項１】
電動送風機を内蔵する掃除機本体と、該掃除機本体に接続されるホースと、該ホースに接続されるパイプと、該パイプに接続される床用吸込具とを備え、前記掃除機本体は、集塵装置が着脱自在に装着される装着部を有すると共に、前記集塵装置を装着部に係脱自在に係合するクランプを有し、該クランプは、枢支部を上下方向に移動可能に枢支すると共に、前記枢支軸が上方に移動した状態でクランプの回動を阻止する手段を設けたことを特徴とする電気掃除機。
【請求項２】
前記クランプは、前記集塵装置に係合する係止爪の上部に、クランプの係合が外れる方向への回動を阻止する手段を形成したことを特徴とする請求項１記載の電気掃除機。
【請求項３】
前記クランプの係止爪上面に、前記枢支軸が上方に移動した状態で、掃除機本体に当接して係止爪の回動を阻止する突出部を形成したことを特徴とする請求項２記載の電気掃除機。
【請求項４】
前記クランプの係止爪上面に、凹部を形成すると共に、掃除機本体に、前記枢支軸が上方に移動した状態で、前記係止爪の凹部に嵌合して係止爪の回動を阻止するリブを形成したことを特徴とする請求項２記載の電気掃除機。
【請求項５】
前記掃除機本体に、前記クランプの枢支軸が上方に移動した状態で、係止爪に当接して係止爪集塵装置との係合が外れる方向に回動するのを阻止するリブを形成したことを特徴とする請求項２記載の電気掃除機。
【請求項６】
前記集塵装置は、上面に集塵装置持ち運び用の取っ手を設けたことを特徴とする請求項１記載の電気掃除機。
【請求項７】
前記集塵装置は、サイクロン式集塵機構を具備したことを特徴とする請求項１記載の電気掃除機。
【請求項８】
前記集塵装置は、内部に空気流から塵埃等を除去するフィルターを配置したことを特徴とする請求項１記載の電気掃除機。
【発明の詳細な説明】
【０００１】
【発明の属する技術分野】
本発明は、集塵装置を着脱自在に装着する電気掃除機に関する。
【０００２】
【従来の技術】
近年、掃除機本体に集塵装置を着脱自在に装着し、集塵装置を取り外して集塵装置内に蓄積された塵埃等を容易に廃棄することのできる電気掃除機が注目を集めている。
【０００３】
この電気掃除機においては、例えば、特開２００２−１７６２８号公報（Ａ４７Ｌ  ９／１０）に示されるように、掃除機本体の後部に電動送風機を収納する収納部を形成すると共に、掃除機本体の前部に集塵装置を着脱自在に収納するものが知られている。
【０００４】
この電気掃除機は、集塵装置上面に集塵装置持ち運び用の取っ手が形成されているが、この取っ手を把持して掃除機本体を持ち上げることが予想され、取っ手を把持しても掃除機本体から集塵装置が容易に外れないようにクランプ機構を形成することが必要となる。
【０００５】
このクランプ機構としては、例えば、図８のような構成が考えられる。１ａは掃除機本体で、前部に集塵装置８ａの装着部が、後部に電動送風機等を収納する収納部３ａが形成されている。掃除機本体１ａの収納部３ａ上部には、集塵装置８ａを係止するクランプ１９ａが配置され、クランプ１９ａは、軸支部２０ａにより回動自在に支持され、集塵装置８ａに係脱自在に係合する係止爪２４ａを形成している。
【０００６】
また、集塵装置８ａは、掃除機本体１ａの上方向から着脱自在に装着され、その操作性を向上するために、集塵装置８ａ上部に取っ手１７ａが形成されている。
【０００７】
【特許文献１】
特開２００２−１７６２８号公報
【０００８】
【発明が解決しようとする課題】
しかしながら、掃除機本体１ａを移動させようとする際に、集塵装置８ａの取っ手１７ａを誤って把持して掃除機本体１ａを持ち上げる場合が想定されるが、その際、組立誤差や、部品精度等によって図９に示す如く、集塵装置８ａを係止するクランプ１９ａが回動して集塵装置８ａとクランプ１９ａとの係合が外れ、掃除機本体１ａが落下する恐れがあった。
【０００９】
そこで、本発明は、集塵装置の取っ手を把持して掃除機本体を持ち上げようとした場合でも集塵装置を係止するクランプが集塵装置から容易に外れることのない電気掃除機を提供することを課題とする。
【００１０】
【課題を解決するための手段】
本発明は、電動送風機を内蔵する掃除機本体と、該掃除機本体に接続されるホースと、該ホースに接続されるパイプと、該パイプに接続される床用吸込具とを備え、前記掃除機本体は、集塵装置が着脱自在に装着される装着部を有すると共に、前記集塵装置を装着部に係脱自在に係合するクランプを有し、該クランプは、枢支部を上下方向に移動可能に枢支すると共に、前記枢支軸が上方に移動した状態でクランプの回動を阻止する手段を設けたことを特徴とする。
【００１１】
前記クランプは、前記集塵装置に係合する係止爪の上部に、クランプの係合が外れる方向への回動を阻止する手段を形成することが好ましい。
【００１２】
前記クランプの係止爪上面に、前記枢支軸が上方に移動した状態で、掃除機本体に当接して係止爪の回動を阻止する突出部を形成することが好ましい。
【００１３】
前記クランプの係止爪上面に、凹部を形成すると共に、掃除機本体に、前記枢支軸が上方に移動した状態で、前記係止爪の凹部に嵌合して係止爪の回動を阻止するリブを形成することが好ましい。
【００１４】
前記掃除機本体に、前記クランプの枢支軸が上方に移動した状態で、係止爪に当接して係止爪集塵装置との係合が外れる方向に回動するのを阻止するリブを形成することが好ましい。
【００１５】
前記集塵装置は、上面に集塵装置持ち運び用の取っ手を設けることが好ましい。
【００１６】
前記集塵装置は、サイクロン式集塵機構を具備することが好ましい。
【００１７】
前記集塵装置は、内部に空気流から塵埃等を除去するフィルターを配置することが好ましい。
【００１８】
【発明の実施の形態】
以下、本発明の一実施の形態を図面に基づいて詳述する。本実施形態の電気掃除機は、キャニスタータイプの掃除機本体１の前部に、サイクロン式の集塵装置８が上方から挿入されることにより着脱自在に設けられ、掃除機本体１の後部には電動送風機２が内蔵されている。また、掃除機本体１の前部の連結口６には、図示しない吸込ホースや延長管を介して床用吸込具が連結されるようになっている。
【００１９】
図において、１は掃除機本体で、後部に電動送風機２を内蔵する収納部３が形成され、前部には、後述する集塵装置８が着脱自在に装着される装着部４が形成されている。５は前記掃除機本体１持ち運び用のハンドルで、前記収納部３上部に起倒自在に枢支されている。
【００２０】
６は前記掃除機本体１前部に形成される連結口で、後述する集塵装置８の吸気管９ａに連通するようになっている。７は前記掃除機本体１の収納部３上部に形成される連通口で、後述する集塵装置８の排気筒１６に連通するようになっている。
【００２１】
８は前記掃除機本体１の装着部４に上方から着脱自在に装着される集塵装置で、内部にサイクロン式集塵機構を有している。即ち、前記集塵装置８は、横断面形状が略Ｄ字状に形成された集塵容器９の内側に、第１サイクロン筒体となる略円筒状の外側フィルタフィクスチャ（フィルタ枠体）１０と、第２サイクロン筒体となる内側フィルタフィクスチャ１１が配置されており、集塵容器９は、内部にたまった塵埃や塵埃の旋回が外から見えるように透明または半透明の合成樹脂などにて形成されている。また、外側フィルタフィクスチャ１０は、その上部外周面に形成された開口部１０ａがメッシュ状のフィルタで覆われている。
【００２２】
上記集塵容器９の略Ｄ字状における直線部である前面上部には吸気管９ａが突設され、この吸気管９ａの先端側開口は、掃除機本体１の前面側中央部に形成された前記連結口５と連結できるように、集塵容器９の前面側上部の略中心付近に形成されている。
【００２３】
前記外側フィルタフィクスチャ１０は、集塵容器９の上端開口を開閉する上蓋１２の下面をなす中蓋１３に垂れ下がった状態に着脱可能に取り付けられるようになっている。前記上蓋１２の下面をなす中蓋１３の中央部には、下方に延びる排気筒１４が形成されている。前記上蓋１２は、図示しない係合手段により集塵容器９に係脱自在に係合するようになっている。
【００２４】
１５は前記上蓋１２と中蓋１３との間に配置されたダストフィルタで、前記排気筒１４の上部開口を覆うようにして塵埃等を濾過するようになっている。１６は前記上蓋１１に形成された排気管で、前記掃除機本体１の連通口７に連通するようになっている。１７は前記上蓋１２上面に形成された取っ手である。１８は前記上蓋１２後方に突出形成された係合部で、後述するクランプ＊の係止爪＊が係脱自在に係合するようになっている。
【００２５】
１９は前記集塵装置８を掃除機本体１に係止するクランプで、掃除機本体１の収納部３内に配設されている。前記クランプ１９は、枢支軸２０が収納部３に形成された軸受２１の長孔２２により上下方向に少許移動可能に枢支されており、収納部３との間に架設されたスプリング２３が、クランプ１９の係止爪２４が図＊及び図＊中右方向に回動して係止爪２４が上蓋１２の係合部１８に係合した状態を維持すると共に、枢支軸２０が長孔２２の下方位置に支持されるように付勢している。
【００２６】
前記係止爪２４は端部に傾斜面が形成されると共に、その傾斜面に連なって上方に向かって突出する突出部２５が形成されており、枢支軸２０が長孔２２の上方に移動した状態で係止爪２４が上方向に移動する場合、即ち、集塵装置８の取っ手１７を把持して集塵装置８を上方向に移動させる場合には、クランプ１９の枢支軸２０が上方に移動し、その状態でクランプ１９の係止爪２４が上方に回動しようとするが、クランプ１９の突出部２５が掃除機本体１の収納部３から下方に延設したリブ２６に当接し、クランプ１９の回動を阻止して、集塵装置８が掃除機本体１から外れるのを阻止するようになっている。２７は前記クランプ１９の操作体で、前記掃除機本体１の収納部３上面に突出している。
【００２７】
而して、掃除機本体１の連結口６から吸引された空気は、集塵容器９内で旋回して空気から比較的大きな塵埃等が分離され、分離された塵埃等は集塵容器９底部に蓄積し、空気は外側フィルタフィクスチャ１０を介して内側フィルタフィクスチャ１１内に導かれ、内側フィルタフィクスチャ１１内で旋回し、微細な塵埃を分離してダストフィルタ１５を通過して電動送風機２に流れる。
【００２８】
掃除機本体１を持ち運ぶ際には、ハンドル５を起こし、ハンドル５を把持して持ち運ぶのであるが、誤って集塵装置８の取っ手１７を把持して持ち運ぼうとすることが想定される。
【００２９】
集塵装置８の取っ手１７を把持して持ち上げようとする場合には、クランプ１９の枢支軸２０が軸受２１の長孔２２の上方に移動し、その状態でクランプ１９の係止爪２４が上方に回動しようとするが、クランプ１９の突出部２５が掃除機本体１の収納部３のリブ２６に当接し、クランプ１９の回動を阻止して、集塵装置８が掃除機本体１から外れるのを阻止する。
【００３０】
従って、不用意に掃除機本体１が落下することがなく、掃除機本体１が破損したり、掃除機本体１が使用者の足などの上に落下して使用者が負傷するのを防止することができる。
【００３１】
尚、上記実施の形態では、クランプ１９の係止爪２４上面に突出部２５を形成したが、図６に示す如く、係止爪２４上面に掃除機本体１の収納部３から下方に延設したリブ２６が嵌合する凹部２７を形成してクランプ１９の回動を阻止するように構成してもよく、また、図７に示す如く、収納部３上面から延設したリブ２８をクランプ１９の係止爪２４の回転方向側に当接させてクランプ１９の回動を阻止する構成としてもよい。更に、突出部２５とリブ２６とをなくし、係止爪２４上面と収納部３下面との当接長さが大きくなるように構成してクランプ１９が多少回動してもクランプ１９の係止爪２４と掃除機本体１との当接が外れないようにしてもよい。
【００３２】
更に、本実施の形態においては、集塵装置として、サイクロン式の集塵装置を用いたが、従来技術として示したように、紙パックを用いてもよい。
【００３３】
【発明の効果】
本発明によれば、誤って集塵装置の取っ手を把持して掃除機本体を持ち上げようとした場合でも、集塵装置を係止するクランプが容易に外れることがなく、不用意に掃除機本体が落下することのない電気掃除機を提供することができる等の効果を奏する。
【図面の簡単な説明】
【図１】本発明の一実施の形態を示す集塵装置を上方に持ち上げた状態の要部拡大断面図である。
【図２】同集塵装置を掃除機本体に装着した状態の要部拡大断面図である。
【図３】同掃除機本体の断面図である。
【図４】同集塵装置を取り外した状態の斜視図である。
【図５】同掃除機本体の斜視図である。
【図６】本発明の他の実施の形態を示す集塵装置を上方に持ち上げた状態の要部拡大断面図である。
【図７】本発明のさらに他の実施の形態を示す集塵装置を上方に持ち上げた状態の要部拡大断面図である。
【図８】従来の構成における集塵装置を掃除機本体に装着した状態の要部拡大断面図である。
【図９】同集塵装置を上方に持ち上げた状態の要部拡大断面図である。
【符号の簡単な説明】
１        電気掃除機
８        集塵装置
１７        取っ手
１９        クランプ
２０        枢支軸
２１        軸受
２２        長孔
２４        係止爪
２５        突出部
２６        リブ
２７        凹部
２８        リブ
【図１】
2004261334.tif 000003
【図２】
2004261334.tif 000004
【図３】
2004261334.tif 000005
【図４】
2004261334.tif 000006
【図５】
2004261334.tif 000007
【図６】
2004261334.tif 000008
【図７】
2004261334.tif 000009
【図８】
2004261334.tif 000010
【図９】
2004261334.tif 000011